(57)【特許請求の範囲】
【請求項１】
枠体に渡された回転軸に回動可能に支持され液体の自重を利用した回転体であって、
前記回転軸に挿通し一方方向のみの回転を前記回転軸に伝える中央回転体と、
前記回転軸を挿通するとともに前記中央回転体に固定される回転盤と、
前記回転盤の両端部にそれぞれ固定される２つのタンクと、
一方のタンクの反中央回転体側に接続する吸上管と前記吸上管に電力を要するモーター式のポンプを介して連設するとともに他方のタンクの反中央回転体側に接続する送液管からなる２つの液移動手段と、
前記各タンクのそれぞれ前記中央回転体側及び反対側を連結する２本の空気管と、
前記２つのタンク間を移動するタンク１つ分の容量の液体とからなり、
液体の自重により下側に位置する一方のタンク内の液体を前記ポンプで吸い上げ上側に位置する他方のタンクに移し、液体を移された上側のタンクが液体の自重により下側に移動する際に前記回転盤が回転する動作を繰り返すことを特徴とする回転体。
【請求項２】
前記回転軸を、複数の前記回転盤を等角度ずつ位置をずらして取り付け、また第三歯車を取り付けた回転軸とし、
前記枠体に、切欠部を形成した前記回転盤と同数の係止駒を取り付け、また前記第三歯車にベルトを介して連結された第二歯車を回動可能に備え、
前記タンクを、底面の一部に凹部を設けて液体で満たされた際に重心が回転盤の回動方向側とし、一方のタンクから他方のタンクへの液体移動が完了するまで前記係止駒に係止されて前記回転盤の回動を止め、前記係止駒の切欠部に嵌合したときに前記回転盤の回動を許すストッパを上部に設けたタンクとし、
前記吸上管、送液管及び空気管を、端部付近の内部に弁を設けて液体の逆流を防止した吸上管、送液管及び空気管としたことを特徴とする請求項１に記載の回転体。
【請求項３】
前記回転盤の両端部が略Ｈ字状で、その両端の凹みに前記各タンクを固定したことを特徴とする請求項１又は請求項２に記載の回転体。
【請求項４】
請求項１から請求項３の何れか１項に記載の回転体の回転を、
蓄電池を備えた発電機の軸に伝え、前記回転体を発電の発電源としたことを特徴とする回転体。
【発明の詳細な説明】
【技術分野】
【０００１】
本発明は、液体を移動させながら液体の自重を利用して回転する回転体に関する。
【背景技術】
【０００２】
従来、発電機等に使用される回転体は、風の力や水流を使用して回転していた。
【０００３】
しかしながら、従来のような風の力や水流を使用した回転体は、風がない時や風力が弱い時は満足に回転する事ができず、また、水流が弱い場合も同じように満足に回転する事ができなかった。
【０００４】
また、風の力や水流を使用する場合、設置場所は屋外の風がよく通る場所や水の流れがある場所に限られるものであった。
【先行技術文献】
【特許文献】
【０００５】
【特許文献１】特開平５−２５６２４９号公報
【発明の概要】
【発明が解決しようとする課題】
【０００６】
そこで、本発明は、屋内でも屋外でも設置することができ、常に安定した回転を継続することができ、更に人体や自然環境に悪影響を及ぼすような事故が発生しない安全な回転体を提供する。
【課題を解決するための手段】
【０００７】
本発明は、上記の課題を解決するために、枠体に渡された回転軸に回動可能に支持され液体の自重を利用した回転体であって、前記回転軸６ｄに挿通し一方方向のみの回転を前記回転軸６ｄに伝える中央回転体２ｂと、前記回転軸６ｄを挿通するとともに前記中央回転体２ｂに固定される回転盤２と、前記回転盤２の両端部にそれぞれ固定される２つのタンク（３、３ａ）と、一方のタンクの反中央回転体側に接続する吸上管４ａと前記吸上管４ａにポンプ４を介して連設するとともに他方のタンクの反中央回転体側に接続する送液管４ｂからなる２つの液移動手段と、前記各タンクのそれぞれ前記中央回転体側及び反対側を連結する２本の空気管４ｃと、前記２つのタンク間を移動するタンク１つ分の容量の液体５とからなり、液体の自重により下側に位置する一方のタンク内の液体を前記ポンプ４で吸い上げ上側に位置する他方のタンクに移し、液体を移された上側のタンクが液体の自重により下側に移動する際に前記回転盤２が回転する動作を繰り返すことを特徴とする
回転体１の構成とした。
【０００８】
また、前記回転軸６ｄを、複数の前記回転盤２を等角度ずつ位置をずらして取り付け、
また第三歯車６ｉを取り付けた回転軸６ｄとし、
前記枠体に、切欠部６ｇを形成した前記回転盤２と同数の係止駒６ｆを取り付け、また前記第三歯車６ｉにベルト６ｊを介して連結された第二歯車６ｈを回動可能に備え、
前記タンクを、底面の一部に凹部を設けて液体で満たされた際に重心が回転盤の回動方向側とし、一方のタンクから他方のタンクへの液体移動が完了するまで前記係止駒に係止されて前記回転盤の回動を止め、前記係止駒の切欠部６ｇに嵌合したときに前記回転盤の回動を許すストッパを上部に設けたタンクとし、
前記吸上管、送液管及び空気管を、端部付近の内部に弁を設けて液体の逆流を防止した吸上管、送液管及び空気管としたことを特徴とする回転体の構成とした。
【０００９】
また、前記ポンプを、モーターで駆動するポンプとしたことを特徴とする回転体の構成とした。
【００１０】
また、前記回転盤２の両端部が略Ｈ字状で、その両端の凹みに前記各タンクを固定したことを特徴とする回転体の構成とした。
【００１１】
また、枠体に渡された回転軸に回動可能に支持され液体の自重を利用した回転体であって、前記回転軸に挿通し一方方向のみの回転を前記回転軸に伝える中央回転体９ｂと、前記回転軸を挿通するとともに前記中央回転体９ｂに固定され、四隅にガイドローラー９ｃを備え、ポンプ接続ギア１０に動力を伝える動力引出ギア１０ａを表裏面に備えた回転盤９と、前記ガイドローラー９ｃ及び動力引出ギア１０ａに噛み合わせて前記回転盤を挟むガイド部材を備え、前記回転盤にスライド可能に接続され前記ガイド部材を保持する二本のガイド枠の端部同士の間に２つのタンク（１１ｄ、１１ｅ）を固定したスライド枠と、一方のタンクの反中央回転体側に接続する吸上管１２ｂと前記吸上管１２ｂに前記ポンプ接続ギア１０にベルト１２ｅで接続されるポンプギア１２ａを備えたポンプ１２を介して連設するとともに他方のタンクの反中央回転体側に接続する送液管１２ｃからなる２つの液移動手段と、前記各タンクのそれぞれ前記中央回転体側及び反対側を連結する２本の空気管１２ｄと、前記２つのタンク間を移動するタンク１つ分の容量の液体５とからなり、液体の自重により下側に回動した後、前記スライド枠と共に更に下方にスライドする際に前記動力引出ギアと連動して前記ポンプギアを回動させて前記液体を上側に位置する空のタンクに送液し、液体を移された上側のタンクが液体の自重により下側に回動及び前記スライド枠と共に下方にスライドし、再度液体を上側の空タンクに送液する動作を繰り返すことを特徴とする回転体１ａの構成とした。
【００１２】
更に、前記回転軸を、複数の前記回転盤９を等角度ずつ位置をずらして取り付けた回転軸とし、
前記枠体１３ａに前記回転体１ａの回動を一時的に阻止するための係止片１３ｃを取り付けた枠体とし、
前記ガイド枠を、一方のタンクから他方のタンクへの液体移動が完了するまで前記係止片に係止されて前記回転体の回動を止め、液体移動が完了すると同時に前記スライド枠が下方にスライドして前記係止片の係止が外れ前記回転体の回動を許すストッパをそれぞれ異なった端部に設けたガイド枠とし、
前記吸上管及び送液管を、伸縮自在の素材からなり、端部付近の内部に弁を設けて液体の逆流を防止した吸上管及び送液管とし、
前記空気管を、端部付近の内部に弁を設けて液体の逆流を防止した空気管としたことを特徴とするの回転体１ａの構成とした。
【００１３】
加えて前記回転体の回転を、蓄電池８を備えた発電機７の軸に伝え、前記回転体１を発電の発電源としたことを特徴とする回転体の構成とした。
【発明の効果】
【００１４】
本発明は上記のような構成であるため、設置場所を問わず、常に安全に安定した回転を継続することできる。
【図面の簡単な説明】
【００１５】
【図１】本発明である回転体を示す図である。
【図２】本発明である回転体使用した回転駆動装置を示す図である。
【図３】本発明である回転体を複数使用した回転駆動装置を示す図である。
【図４】本発明である回転体の第二実施例を示す図である。
【図５】本発明である回転体の第二実施例の動きを示した図である。
【図６】本発明である回転体の第二実施例の動きを示した図である。
【図７】本発明である回転体を使用した回転駆動装置を発電機に接続した状態を示す図である。
【発明を実施するための形態】
【００１６】
以下、添付の図面を参照し、本発明の実施の形態について詳細に説明する。
【実施例１】
【００１７】
図１は本発明である回転体を示す図、図２は回転体使用した回転駆動装置を示す図、図３は回転体を複数使用した回転駆動装置を示す図である。
【００１８】
図１から図３に示すように、本発明である回転体１は、枠体６ａに渡された回転軸６ｄに回動可能に支持され液体５の自重を利用した回転体１であって、前記回転軸６ｄに挿通し一方方向のみの回転を前記回転軸６ｄに伝える中央回転体２ｂと、前記回転軸６ｄを挿通するとともに前記中央回転体２ｂに固定される回転盤２と、前記回転盤２の両端部にそれぞれ固定される２つのタンク（３、３ａ）と、一方のタンクの反中央回転体２ｂ側に接続する吸上管４ａと前記吸上管４ａにポンプ４を介して連設するとともに他方のタンクの反中央回転体２ｂ側に接続する送液管４ｂからなる２つの液移動手段と、前記各タンクのそれぞれ前記中央回転体２ｂ側及び反対側を連結する２本の空気管４ｃと、前記２つのタンク間を移動するタンク１つ分の容量の液体５とからなり、液体５の自重により下側に位置する一方のタンク内の液体５を前記ポンプ４で吸い上げ上側に位置する他方のタンクに移し、液体５を移された上側のタンクが液体５の自重により下側に移動する際に前記回転盤２が回転する動作を繰り返すことを特徴とする。
【００１９】
また、前記回転軸６ｄを、複数の前記回転盤２を等角度ずつ位置をずらして取り付け、
また第三歯車６ｉを取り付けた回転軸６ｄとし、前記枠体６ａに切欠部６ｇを形成した前記回転盤２と同数の係止駒６ｆを取り付け、また前記第三歯車６ｉにベルト６ｊを介して連結された第二歯車６ｈを回動可能に備え、
前記タンクを、底面の一部に凹部３ｃを設けて液体５で満たされた際に重心が回転盤２の回動方向側とし、一方のタンクから他方のタンクへの液体移動が完了するまで前記係止駒に係止されて前記回転盤の回動を止め、前記係止駒の切欠部６ｇに嵌合したときに前記回転盤の回動を許すストッパを上部に設けたタンクとし、
前記吸上管４ａ、送液管４ｂ及び空気管４ｃを、端部付近の内部に弁４ｄを設けて液体の逆流を防止した吸上管４ａ、送液管４ｂ及び空気管４ｃとしたことを特徴とする。
【００２０】
図１から図３に示すように、前記回転盤２は、平面略Ｈ字状をしており、中央に中央回転体２ｂを備えている。前記回転盤２の形状は略Ｈ字状に限定したものではなく、他の形状であっても構わない。
【００２１】
前記回転盤２の両端には同径同大のタンク３、３ａ（以下、第一タンク３、第二タンク３ａと呼ぶ）を備えており、前記タンクの一方には液体５が満たされている。図１に示すように、前記回転盤２が略Ｈ字状をしている場合、各凹みにタンク３、３ａを固定する。
【００２２】
前記第一タンク３及び第二タンク３ａの中央回転体２ｂとは反対側の端部には吸上管４ａと送液管４ｂが取り付けられており、更に前記第一タンク３の吸上管４ａは前記第二タンク３ａの送液管４ｂにポンプ４を介して接続されている。同じく、前記第二タンク３ａの吸上管４ａは前記第一タンク３の送液管４ｂにポンプを介して接続されている。
【００２３】
また、前記第一タンク３の中央回転体２側の端部と前記第二タンク３ａの中央回転体２とは反対側の端部は空気管４ｃで接続されており、同じく第二タンク３ａの中央回転体２側の端部と前記第一タンク３の中央回転体２とは反対側の端部も空気管４ｃで接続されている。
【００２４】
前記吸上管４ａ、送液管４ｂ及び空気管４ｃの端部付近の内側には弁４ｄが取り付けられており、前記タンク（３、３ａ）間を移動する液体５が各管内を一方向のみ移動することができるようにしてあり、前記液体５の逆流は起こらない構造となっている。
【００２５】
また、前記第一タンク３及び第二タンク３ａの中央回転体側端部には凹部３ｃが設けられており、これはタンク内に液体が満たされた際のタンクの重心が回転盤２の回動方向側となるようにしたものである。
【００２６】
更に、前記第一タンク３及び第二タンク３ａの中央回転体側とは反対側の端部にはストッパ３ｂが垂設されている。このストッパ３ｂについては、後述する。
【００２７】
図１から図３に示した回転体１の前記ポンプ４は電力を要するモーター式のポンプであるため、側面にスイッチ４ｅが設置されている。前記ポンプ４については、電力を要するポンプ以外に電力を使用しないポンプを使用することもできる。この構成については、実施例２で説明する事とする。
【００２８】
前記枠体６ａは、本発明である回転体１を取り付けるための枠体で、回転軸６ｄを備えている。前記回転軸６ｄの両端は枠体６ａを構成する中支持枠６ｂに回動可能に取り付けられている。但し、回転軸６ｄの取付けについては特に限定したものではない。
【００２９】
前記回転軸６ｄと回転体１は、回転軸６ｄを前記中央回転体２ｂの中心に挿通して連結されており、前記中央回転体２ｂの一方向の回転力のみが前記回転軸６ｄに伝えられる。即ち、中央回転体２ｂの回転が中断している状態では、回動を続ける回転軸６ｄと回動を中断している中央回転体２ｂの関係は逆回転の関係にあり、このときの中央回転体２ｂの回転力は回転軸６ｄには伝わらない。また、前記回転軸６ｄには回転軸６ｄの回動に従う第三歯車６ｉが取り付けられている。
【００３０】
前記枠体６ａには切欠部６ｇを形成した係止駒６ｆを取り付けた第二回転軸６ｅが回動可能に取り付けられている。また、前記第二回転軸６ｅには第二歯車６ｈが取り付けられており、この第二歯車６ｈは、前記回転軸６ｄの第三歯車６ｉとベルト６ｊを介して接続されている。尚、図２及び図３では、前記第二回転軸６ｅの両端を上支持枠６ｃを介して枠体６ａに回動可能に設置しているが、特に限定したものではない。
【００３１】
即ち、前記回転軸６ｄが回動すると第三歯車６ｉも回転して前記ベルト６ｊを回動させ、前記ベルト６ｊに接続された第二歯車６ｈも回転する。そして、第二歯車６ｈと回動をともにする第二回転軸６ｅ及び係止駒６ｆも回転する。
【００３２】
前記係止駒６ｆは前記回転軸６ｄに取り付けられる回転体１と同数だけ第二回転軸６ｅに取り付けられ、更に各係止駒６ｆは、各回転体１の上部に位置した状態で取り付けられる。
【００３３】
前記回転体１のタンク３、３ａに取り付けた前記ストッパ３ｂが、係止駒６ｆの切欠部６ｇ以外の場所に接触している状態では、前記回転体１は回動を中断し、係止駒６ｆが回転して前記ストッパ３ｂが切欠部６ｇの位置になったとき、中断状態が解除され前記回転体１が回動することができる。
【００３４】
前記ストッパ３ｂが係止駒６ｆに接触して前記回転体１が回動を中断している状態とは、即ち、回転体１の液体５を満たした一方のタンクが下側となり、下側のタンクから上側のタンクに液体５を送液している状態で、上側に位置するタンクに液体５の送液が完了した後、間もなく前記ストッパ３ｂが切欠部６ｇの位置となり、前記回転体１の回動中断が解除されるようになっている。
【００３５】
図３に示すように、前記回転体１を複数設けた場合、各回転体１は、等角度ずつズレた状態で回転軸６ｄに取り付けられている。また、前記回転体１と同数の係止駒６ｆについても切欠部６ｇが等角度ずつズレた状態で第二回転軸６ｅに取り付けられている。
【００３６】
例えば、前記回転体１を３つとした場合、各回転体１は１２０度ずつズレた状態で回転軸６ｄに取り付けられ、回転体１と同数の係止駒６ｆについても切欠部６ｇが１２０度ずつズレた状態で第二回転軸６ｅに取り付けられる。前記回転体１と係止駒６ｆを６つずつ取り付ける場合は、それぞれ６０度ずつズレていればよい。
【００３７】
以上のように、回転体１を複数設けた場合、一つの回転体１が液体を送液するために回動を中断していても、他の回転体１が回動をしているため回転軸６ｄは常に回動し続けることができる。
【実施例２】
【００３８】
次に図４から図６を使用して、本発明である回転体の第二実施例を説明することとする。図４は本発明である回転体の第二実施例を示す図、図５及び図６は本発明である回転体の第二実施例の動きを示した図である。
【００３９】
図４から図６に示すように、本発明である回転体１ａは、枠体１３ａに渡された回転軸に回動可能に支持され液体の自重を利用した回転体１ａであって、前記回転軸に挿通し一方方向のみの回転を前記回転軸に伝える中央回転体９ｂと、前記回転軸を挿通するとともに前記中央回転体９ｂに固定され、四隅にガイドローラー９ｃを備え、ポンプ接続ギア１０に動力を伝える動力引出ギア１０ａを表裏面に備えた回転盤９と、前記ガイドローラー９ｃ及び動力引出ギア１０ａに噛み合わせて前記回転盤を挟むガイド部材を備え、前記回転盤にスライド可能に接続され前記ガイド部材を保持する二本のガイド枠の端部同士の間に２つのタンク（１１ｄ、１１ｅ）を固定したスライド枠と、一方のタンクの反中央回転体側に接続する吸上管１２ｂと前記吸上管１２ｂに前記ポンプ接続ギア１０にベルト１２ｅで接続されるポンプギア１２ａを備えたポンプ１２を介して連設するとともに他方のタンクの反中央回転体側に接続する送液管１２ｃからなる２つの液移動手段と、前記各タンクのそれぞれ前記中央回転体側及び反対側を連結する２本の空気管１２ｄと、前記２つのタンク間を移動するタンク１つ分の容量の液体５とからなり、液体の自重により下側に回動した後、前記スライド枠と共に更に下方にスライドする際に前記動力引出ギアと連動して前記ポンプギアを回動させて前記液体を上側に位置する空のタンクに送液し、液体を移された上側のタンクが液体の自重により下側に回動及び前記スライド枠と共に下方にスライドし、再度液体を上側の空タンクに送液する動作を繰り返すことを特徴とする。
【００４０】
また、前記回転軸を、複数の前記回転盤９を等角度ずつ位置をずらして取り付けた回転軸とし、前記枠体１３ａに前記回転体１ａの回動を一時的に阻止するための係止片１３ｃを取り付けた枠体１３ａとし、
前記ガイド枠１１、１１ａを、一方のタンクから他方のタンクへの液体移動が完了するまで前記係止片１３ｃに係止されて前記回転体１ａの回動を止め、液体移動が完了すると同時に前記スライド枠が下方にスライドして前記係止片１３ｃの係止が外れ前記回転体１ａの回動を許すストッパ１１ｆをそれぞれ異なった端部に設けたガイド枠１１、１１ａとし、前記吸上管１２ｂ及び送液管１２ｃを、伸縮自在の素材からなり、端部付近の内部に弁を設けて液体５の逆流を防止した吸上管１２ｂ及び送液管１２ｃとし、
前記空気管１２ｄを、端部付近の内部に弁を設けて液体の逆流を防止した空気管１２ｄとしたことを特徴とする。
【００４１】
図４に示すように、前記回転盤９は、略Ｈ字状をしており、中央に中央回転体９ｂを備えている。また、Ｈ字状となった４つの突出部の各端部には回動可能にガイドローラー９ｃが取り付けられている。更に、前記ガイドローラー９ｃを備えた４つの突出部のうち、前記中央回転体９ｂを通る対角線上の付け根部分には動力引出ギア１０ａが回動可能に取り付けられており、前記動力出力ギア１０ａの一方は前記回転盤９の表面側、他方は回転盤９の裏面側に取り付けられている。尚、前記中央回転体９ｂと軸を同じくして第一歯車９ａを回動可能に設けた。
【００４２】
また、前記動力出力ギア１０、１０ａには軸を同じくして連動するポンプ接続ギア１０が連設されている。前記ガイドローラー９ｃ及び動力出力ギア１０の一部は、前記回転盤９の側面より外方に突出しており、この突出部分が後に説明するガイド部材１１ｂと噛み合っている。
【００４３】
前記ガイド枠１１、１１ａは中空で両端部及び長手方向の一面がない平面略コの字状のレール枠で、長手方向の開口面が向かい合った状態で接続部材１１ｃを介して略長方形状に枠体を形成している。
【００４４】
前記ガイド枠１１、１１ａ内には、ガイド枠の上部から下部に渡ってガイド部材１１ｂが取り付けられている。このガイド部材１１ｂは、チェーンやローラーなどが考えられるが、前記ガイドローラー９ｃ及び動力出力ギア１０が噛み合うような部材であることが好ましい。
【００４５】
前記ガイド枠１１、１１ａの各端部同士の間には、それぞれタンクが固定されており、それぞれ第一タンク１１ｄ、第二タンク１１ｅとした。
【００４６】
前記第一タンク１１ｄと第二タンク１１ｅの反中央回転体９ｂ側には吸上管１２ｂと送液管１２ｃが接続されている。前記第一タンク１１ｄに接続された吸上管１２ｂは、ポンプ１２を介して第二タンク１１ｅの送液管１２ｃに接続されており、前記第二タンク１１ｅの吸上管１２ｂも別のポンプ１２を介して第一タンクの送液管１２ｃに接続されている。
【００４７】
また、前記第一タンク１１ｄの中央回転体９ｂ側と第二タンク１１ｅの反中央回転体９ｂ側は空気管１２ｄで接続されており、同じく第二タンク１１ｅの中央回転体９ｂ側と第一タンク１１ｄの反中央回転体９ｂ側も空気管１２ｄで接続されている。
【００４８】
前記吸上管１２ｂ、送液管１２ｃ及び空気管１２ｄの各端部の内側には弁が設けられており、液体の逆流が防止されている。また、前記吸上管１２ｂ及び送液管１２ｃの一部は、前記各タンク１１ｄ、１１ｅが移動しても外れないようシリコン径やゴム管等の伸縮性のある素材からなることが好ましく、ポンプ１２付近では硬質な管であることが好ましい。
【００４９】
尚、実施例１で示した各タンクと同様に、前記第一タンク１１ｄ及び第二タンク１１ｅの底面（中央回転体９ｂ側）の一部に凹部を設け、タンク内に液体５が満たされた際のタンクの重心が回転体１ａの回動方向側となるようにした。
【００５０】
前記ストッパ１１ｆは、前記ガイド枠１１、１１ａの端部に突出して設けた部材であり、第一ガイド枠１１のストッパ１１ｆは第二ガイド枠１１ａのストッパ１１ｆと反対側の端部となるように取り付けられている。
【００５１】
前記吸上管１２ｂの硬質部分は前記回転盤９と固定部材９ｄによって固定されている。即ち、吸上管１２ｂの硬質部分とポンプ１２及び回転盤９の位置関係は変化することなく常に同じ位置関係にある。
【００５２】
前記ポンプ１２にはポンプギア１２ａが設置されており、このポンプギア１２ａが回動するとポンプ１２が動き、液体を吸い上げることができる。前記ポンプギア１２ａは前記回転盤９のポンプ接続ギア１０にベルト１２ｅを介して接続されており、ポンプ接続ギア１０が回動すると、ポンプギア１２ａも回動する。
【００５３】
次に図５及び図６を使用して、本発明である回転体１ａを枠体１３ａに取付けて回転駆動装置１３とした時の回転体の動きを説明する事とする。
【００５４】
図５及び図６に示すように、前記枠体１３ａは回転体１ａを回動可能に設置するための枠体で、中支持枠１３ｂを介して枠体１３ａに設けた回転軸を前記中央回転体９ｂに挿通して回転体１ａを取り付けた。
【００５５】
前記枠体１３ａの上部より下方に向けて垂設されている板は係止片１３ｃであり、前記回転体１ａの回転を一時的に阻止するための部材である。
【００５６】
図５（Ａ）に示すように、まず、液体５の入った第二タンク１１ｅが下方側に回動すると第一タンク１１ｄ側のストッパ１１ｆが枠体１３ａに設けた係止片１３ｃに接触し、回転体１の回動が係止する。
【００５７】
そして、図５（Ｂ）に示すように、液体５の入った第二タンク１１ｅがスライド枠と共に下方にスライドし始めるとガイド部材１１ｂと噛み合っている動力出力ギア１０ａが回動し、動力出力ギア１０と軸を共にするポンプ接続ギア１０も回動する。更に、前記ポンプ接続ギア１０とベルト１２ｅを介して接続されるポンプギア１２ａも回動し、ポンプ１２が第二タンク１１ｅ内の液体５を吸い上げ始める。このとき、前記ストッパ１１ｆはまだ係止片１３ｃに係止された状態となっている。
【００５８】
図６（Ｃ）に示すように、ポンプ１２による液体５の吸上げが進み液体５の全てが上側に位置している第一タンク１１ｄに送液されるとスライド枠は最も下方にスライドした状態となり、前記ストッパ１１ｆも係止片１３ｃの下端より下側に位置し、係止状態が開放される。
【００５９】
係止を開放された回転体１ａは、液体５の自重により図６（Ｄ）に示すように回動を始め、第一タンク１１ｄが下側となる図５（Ａ）の状態となり、同じ動作を繰り返す。
【００６０】
以上のように、回転体１ａでは、タンク管の送液にモーター等の電力を必要としないポンプを使用したため、電力を使用することなく一定の回転を維持することができる。
【００６１】
次に図７を使用して、本発明である回転体を利用した発電機を説明することとする。図７は本発明である回転体を使用した回転駆動装置を発電機に接続した状態を示す図である。
【００６２】
図７に示すように、回転体の回転を、蓄電池８を備えた発電機７の軸に伝え、前記回転体１を発電の発電源とした。
【００６３】
前記回転軸を発電機７の第五歯車７ａにベルト７ｂを介して接続し、前記回転軸の回動に伴い第五歯車７ａが回動し、発電をする。発電機７で発電された電気は発電機７に接続された蓄電池８に蓄電される。
【００６４】
前述の通り、本発明である回転体１、１ａは常に一定の回転を維持することができるため、図７に示すように、本発明である回転体１、１ａを発電の発電源とした場合、安全で安定した発電を期待することができる。
【００６５】
尚、本発明である回転体１、１ａは、発電源の他にも、様々な分野で使用されている回転装置に転用することが期待でき、回転運動をする玩具なども考えられる。
【産業上の利用可能性】
【００６６】
本発明である回転体は、屋内外で使用でき、常に安全に且つ安定して回転することができるため、回転体を使用するあらゆる領域にに多大な貢献をもたらす。
【符号の説明】
【００６７】
１      回転体
２      回転盤
２ａ    第一歯車
２ｂ    中央回転体
３      第一タンク
３ａ    第二タンク
３ｂ    ストッパ
３ｃ    凹部
４      ポンプ
４ａ    吸上管
４ｂ    送液管
４ｃ    空気管
４ｄ    弁
４ｅ    スイッチ
５      液体
６      回転駆動装置
６ａ    枠体
６ｂ    中支持枠
６ｃ    上支持枠
６ｄ    回転軸
６ｅ    第二回転軸
６ｆ    係止駒
６ｇ    切欠部
６ｈ    第二歯車
６ｉ    第三歯車
６ｊ    ベルト
７      発電機
７ａ    第五歯車
７ｂ    ベルト
８      蓄電池
９      回転盤
９ａ    第一歯車
９ｂ    中央回転体
９ｃ    ガイドローラー
９ｄ    固定部材
１０    ポンプ接続ギア
１０ａ  動力引出ギア
１１    第一ガイド枠
１１ａ  第二ガイド枠
１１ｂ  ガイド部材
１１ｃ  接続部材
１１ｄ  第一タンク
１１ｅ  第二タンク
１１ｆ  ストッパ
１２    ポンプ
１２ａ  ポンプギア
１２ｂ  吸上管
１２ｃ  送液管
１２ｄ  空気管
１２ｅ  ベルト
１３    回転駆動装置
１３ａ  枠体
１３ｂ  中支持枠
１３ｃ  係止片
【図１】
0005781832.tif 000002
【図２】
0005781832.tif 000003
【図３】
0005781832.tif 000004
【図４】
0005781832.tif 000005
【図５】
0005781832.tif 000006
【図６】
0005781832.tif 000007
【図７】
0005781832.tif 000008